(57)【要約】【課題】簡単な構造で、容易に閉蓋状態に保持でき、また、開蓋と閉蓋をたびたび繰り返すことも、（片手で）容易に行なうことが可能な食料品収納カップを提供する。【解決手段】開口端縁部２の全周にわたって小外鍔部を有する上方開口状のカップ本体１と、開封用のタブ部４を有すると共にカップ本体１の開口端縁部２の上面に貼着される薄片状の蓋３とを、備えた食料品収納カップに於て、小外鍔部を抱き込み状としてタブ部４を係止させるための折り線部１０を、タブ部４に形成している。【選択図】図１
2011031970.tif 000002
【特許請求の範囲】
【請求項１】
開口端縁部（２）の全周にわたって小外鍔部（５）を有する上方開口状のカップ本体（１）と、開封用のタブ部（４）を有すると共に上記カップ本体（１）の開口端縁部（２）の上面に貼着される薄片状の蓋（３）とを、備えた食料品収納カップに於て、
上記小外鍔部（５）を抱き込み状として上記タブ部（４）を係止させるための折り線部（１０）を、該タブ部（４）に形成したことを特徴とする食料品収納カップ。
【請求項２】
開口端縁部（２）の全周にわたって小外鍔部（５）を有する上方開口状のカップ本体（１）と、開封用のタブ部（４）を有すると共に上記カップ本体（１）の開口端縁部（２）の上面に貼着される薄片状の蓋（３）とを、備えた食料品収納カップに於て、
上記小外鍔部（５）を抱き込み状として上記タブ部（４）を係止させるための折り線部（１０）を、該タブ部（４）に形成し、さらに、上記タブ部（４）の左右に連続する上記蓋（３）の外周端縁部（３ａ）を、上記小外鍔部（５）を抱き込み可能な外径寸法（Ｒ）に増加して連続突出片（７）（８）を形成し、該連続突出片（７）（８）に円弧状に上記折り線部（１０）を延伸させたことを特徴とする食料品収納カップ。
【請求項３】
上記タブ部（４）は、上記折り線部（１０）に沿って折り曲げることにより上記小外鍔部（５）に引っ掛かり可能な係止部（６）を形成する請求項１又は２記載の食料品収納カップ。
【請求項４】
上記折り線部（１０）は、上記タブ部（４）を切断しないような深さ寸法（ｆ）で凹溝（１１）を刻設して成る請求項１，２又は３記載の食料品収納カップ。
【請求項５】
上記折り線部（１０）は、上記タブ部（４）に所定の間隔（ｐ）をもって複数の貫通孔（１２）…を列設して成る請求項１，２又は３記載の食料品収納カップ。
【請求項６】
上記折り線部（１０）が存在する範囲を、略円形の上記蓋（３）の中心（Ｏ）から見た中心角を（α）とすると、６０°≦α≦１８０°に設定される請求項１，２，３，４又は５記載の食料品収納カップ。
【発明の詳細な説明】
【技術分野】
【０００１】
本発明は、食料品収納カップに関する。
【背景技術】
【０００２】
従来、インスタント麺やスナック菓子等の食料品を収納するためのカップ型容器は、開口部上面に貼り付けた薄膜状の蓋を捲り上げて、内容物である食料品を取り出せるように開封するものが知られている（例えば、特許文献１参照）。
一旦、蓋をカップ型容器から剥離してしまうと、再び開口部を閉蓋することができなくなるため、開封後に熱湯を注入して、再び開口部を閉蓋状態に保って熱の放散を防ごうとしても、確実に閉蓋状態を保持できないのでスプーン等を上に置いていた。
また、開封後のカップに残った内容物が不意に飛び出すことを防ぎたい場合等には、粘着テープを用いてカップ型容器に蓋を貼り付けて、開口部を塞ぐ方法が提案されている（特許文献２参照）。
【先行技術文献】
【特許文献】
【０００３】
【特許文献１】特開２００７−１７６５２１号公報
【特許文献２】実開平７−２４７６７号公報
【発明の概要】
【発明が解決しようとする課題】
【０００４】
しかし、蓋を押さえるために、カップの上に置くスプーンは、不安定で、落下したり、あるいは、十分に閉蓋できないことがあった。また、カップ本体及び蓋の表面に水が付着していたり、表面加工が施されている場合等に、（上記特許文献２のような）粘着テープをカップ本体及び蓋に貼り付けることができず、カップの開口部を閉塞できないという欠点があった。
【０００５】
そこで、本発明は、従来の問題点を解消して、簡単な構造で、容易に閉蓋状態に保持でき、また、開蓋と閉蓋をたびたび繰り返すことも、（片手で）容易に行なうことが可能である食料品収納カップを提供することを目的とする。
【課題を解決するための手段】
【０００６】
そこで、本発明に係る食料品収納カップの蓋構造は、開口端縁部の全周にわたって小外鍔部を有する上方開口状のカップ本体と、開封用のタブ部を有すると共に上記カップ本体の開口端縁部の上面に貼着される薄片状の蓋とを、備えた食料品収納カップに於て、上記小外鍔部を抱き込み状として上記タブ部を係止させるための折り線部を、該タブ部に形成したものである。
【０００７】
また、開口端縁部の全周にわたって小外鍔部を有する上方開口状のカップ本体と、開封用のタブ部を有すると共に上記カップ本体の開口端縁部の上面に貼着される薄片状の蓋とを、備えた食料品収納カップに於て、上記小外鍔部を抱き込み状として上記タブ部を係止させるための折り線部を、該タブ部に形成し、さらに、上記タブ部の左右に連続する上記蓋の外周端縁部を、上記小外鍔部を抱き込み可能な外径寸法に増加して連続突出片を形成し、該連続突出片に円弧状に上記折り線部を延伸させたものである。
【０００８】
また、上記タブ部は、上記折り線部に沿って折り曲げることにより上記小外鍔部に引っ掛かり可能な係止部を形成するものである。
また、上記折り線部は、上記タブ部を切断しないような深さ寸法で凹溝を刻設して成るものである。
また、上記折り線部は、上記タブ部に所定の間隔をもって複数の貫通孔を列設して成るものである。
【０００９】
また、上記折り線部が存在する範囲を、略円形の上記蓋の中心から見た中心角をαとすると、６０°≦α≦１８０°に設定されるものである。
【発明の効果】
【００１０】
本発明の食料品収納カップによれば、蓋のタブ部を折り曲げることにより局部的に剛性を向上させ、十分に大きな係止力をもって小外鍔部を抱き込むことで、確実に食料品収納カップを閉塞できる。
また、蓋のタブ部を指で押すのみで、小外鍔部を抱き込むように折り曲げることができ、片手で簡単に蓋を係止させることが可能である。
従って、熱湯を注いだ後に、従来のようにスプーン等の重しを用いる必要はなくなり至便である。あるいは、繰返し蓋を開閉しながら、少しずつ内部の食料品をつまみ出したい時に、簡単に閉蓋できるので便利である。
【図面の簡単な説明】
【００１１】
【図１】本発明の第１の実施の形態を示した要部拡大平面図である。
【図２】本発明の食料品収納カップの断面側面図である。
【図３】係止状態の食料品収納カップを示した斜視図である。
【図４】係止状態の食料品収納カップを示した要部拡大正面図である。
【図５】係止状態の食料品収納カップを示した要部拡大側面図である。
【図６】折り線部を示した説明用拡大断面図である。
【図７】折り線部を示した説明用拡大断面図である。
【図８】本発明の第２の実施の形態を示した要部拡大平面図である。
【図９】本発明の第３の実施の形態を示した要部拡大平面図である。
【図１０】本発明の第４の実施の形態を示した要部拡大平面図である。
【図１１】本発明の第５の実施の形態を示した要部拡大平面図である。
【図１２】本発明の第６の実施の形態を示した要部拡大平面図である。
【図１３】食料品収納カップを係止状態にするための使用説明図である。
【発明を実施するための形態】
【００１２】
以下、実施の形態を示す図面に基づき本発明を詳説する。
図１，図２は、本発明の第１の実施の形態を示した図である。食料品収納カップは、開口端縁部２の全周にわたって小外鍔部５を有する上方開口状のカップ本体１と、開封用のタブ部４を有すると共にカップ本体１の開口端縁部２の上面に貼着される薄片状の蓋３とを、備えたものである。
【００１３】
カップ本体１は、インスタント麺やスナック菓子等の食料品を内容物として収納するためのカップ型容器であり、プラスチックや金属箔、紙、又は、これらを組み合わせた積層体から構成されている。カップ本体１は、開口端縁部２を蓋３によって封着され、蓋３に設けられたタブ部４を引き上げることにより、蓋３が開口端縁部２から剥離され、カップ本体１内の食料品を取り出せるように開封される。
小外鍔部５は、カップ本体１の開口端縁部２を外方側に巻き込み状として突設され、略水平面状に形成した円環状の上面に蓋３を接着材等で貼り付けている。
なお、カップ本体１は、発泡樹脂成形品とするも好ましく、小外鍔部５を一体成形するもよい。
【００１４】
蓋３は、金属箔や紙、樹脂膜等、又は、これらを組み合わせて積層して成るフィルムであって、ある程度の剛性と強度を有するものとして形成されている。蓋３は、小外鍔部５の外周縁に沿うように略円形の外周端縁部３ａを形成し、外周端縁部３ａに接する２本の接線の交点を頂点とした略二等辺三角形状のタブ部４を延設している。つまり、蓋３は、カップ本体１の外方へタブ部４を、引き上げ可能に突出している。
タブ部４は、外周端縁部３ａの接線を等辺部４ａ，４ａとし、左右対称に形成されている。
【００１５】
タブ部４には、折り線部１０が形成されている（図１参照）。
図６に示すように、折り線部１０は、トムソン刃Ｔによりタブ部４を切断しないような深さ寸法ｆで凹溝１１を刻設するハーフカットにて形成される。そして、図７に示すように、凹溝１１を開くように山折りにすることで、容易にタブ部４を折り曲げることができるように構成されている。
なお、図１に於て、実線で描いた折り線部１０は、タブ部４の表て面に形成され、山折りにされる凹溝１１であり、破線で描いた折り線部１０は、（タブ部４の裏面に形成され、）谷折りにされる凹溝１１である。
【００１６】
図３〜図５は、折り線部１０を折り曲げた状態での食料品収納カップを示している。
タブ部４は、小外鍔部５を抱き込み状として開口端縁部２にタブ部４を係止させるために、折り線部１０に沿って折り曲げられるように構成されている。言い換えると、タブ部４は、折り線部１０に沿って折り曲げることにより小外鍔部５に引っ掛かり可能な係止部６を形成するように、表て面及び裏面の所定位置に複数の折り線部１０…を配設している。
【００１７】
係止部６は、タブ部４を下方に折り曲げつつ、左右中央位置の折り線部１０ａを山折りにし、かつ、タブ部４の略左右方向の折り線部１０ｂ，１０ｃを山折りにし、これに伴って、タブ部４の斜め方向の折り線部１０ｄ，１０ｅを谷折りにして、殻形状を成している。係止部６は、等辺部４ａ，４ａを小外鍔部５の下部空間に屈曲させて、小外鍔部５を抱き込んでいる。
【００１８】
上述した本発明の食料品収納カップの使用方法（作用）について説明する。
図２に示すように、蓋３を矢印方向に捲り上げ、食料品収納カップを開封した後は、蓋３は、カール（巻回）した状態となる。蓋３は、復元力をもって、起き上がった姿勢を維持するため、カップ本体１を塞いで再封しようとしても、蓋３が開口端縁部２から離れてしまう。
【００１９】
一旦開封した蓋３を、図１３に示すように、カップ本体１の開口端縁部２に密着させ、指Ｙでタブ部４を、小外鍔部５を抱き込むようにして押し付ける。この際、人差し指Ｙ１と中指Ｙ２を用いて、タブ部４の等辺部４ａ，４ａを、小外鍔部５の下部空間に押し込むと、平面状のタブ部４が殻形状の係止部６として変形する。
こうして、タブ部４は、凹凸を有する係止部６を形成し、局部的に剛性を向上する。
【００２０】
図３〜図５に示すように、係止部６は、カップ本体１から突出した小外鍔部５を抱き込んで、蓋３が上方に捲れ上がるのを防止する。つまり、蓋３が復元力をもって上方に係止部６を持ち上げたとしても、平面的な蓋３（タブ部４）よりも高い剛性を有する係止部６が、カップ本体１に引っ掛かり係止しているため、強い係止力をもって蓋３を開口端縁部２に被せたまま保持する。
【００２１】
なお、本発明は、設計変更可能であって、例えば、図８に示す本発明の第２の実施の形態のように、折り線部１０，１０…の配設位置を変更したものであってよい。さらに、図９に、第３の実施の形態を示し、図１０に、第４の実施の形態を示した。第２乃至第４の実施の形態に於ては、タブ部４を、一本の指Ｙで小外鍔部５の下部空間に押し込んで、凹窪部を有する係止部６を形成する。折り線部１０，１０…に沿って折り曲げられた係止部６は、局部的に剛性を向上する。
なお、図８〜図１０に於て、実線で描いた折り線部１０は、タブ部４の表て面に形成され、山折りにされる凹溝１１であり、破線で描いた折り線部１０は、（タブ部４の裏面に形成され、）谷折りにされる凹溝１１である。
【００２２】
また、図１１に示すように、折り線部１０が、タブ部４に所定の間隔ｐをもって複数の貫通孔１２…を列設してミシン目を形成しているものであってよい。この場合は、折り線部１０は、タブ部４の表て面又は裏面に形成されたものに関わらず、山折り・谷折りにして折り曲げ自在となる。
【００２３】
さらに、図１２は、本発明の第６の実施の形態を示した図である。第６の実施の形態に於ては、タブ部４の左右に連続する蓋３の外周端縁部３ａを、小外鍔部５を抱き込み可能な外径寸法Ｒに増加して連続突出片７，８を連設している。連続突出片７，８は、タブ部４の折り線部１０を円弧状に延伸して、小外鍔部５を抱き込み状に係止するように折り曲げ可能として構成されている。
この構成によれば、タブ部４を折り曲げて蓋３をカップ本体１に係止する作用に加えて、連続突出片７，８を小外鍔部５に抱き込み状として、蓋３を広範囲にわたってカップ本体１に係止し、確実に開口端縁部２を閉塞する。
【００２４】
なお、本発明に於て、折り線部１０が存在する範囲を、略円形の蓋３の中心Ｏから見た中心角をαとすると、６０°≦α≦１８０°に設定するのが望ましい。
仮に、α＜６０°とすれば、タブ部４を折り曲げて係止部６を殻形状に造形することができなくなる虞れがある。
また、１８０°＜αとすれば、蓋３に、連続突出片７，８を無用に拡大して設ける必要が生じ、材料費が嵩むばかりか商品の形態として好ましくない。
また、折り線部１０については、各図に於て、曲線状（弯曲状）とするも好ましい。また、図１，図３に於て、符号４０にて示す位置等に、目の不自由な人達でも容易にタブ部４を折り曲げる位置を示す小突出子や矢印の突出部を付設するも望ましい。
【００２５】
以上のように、本発明は、開口端縁部２の全周にわたって小外鍔部５を有する上方開口状のカップ本体１と、開封用のタブ部４を有すると共にカップ本体１の開口端縁部２の上面に貼着される薄片状の蓋３とを、備えた食料品収納カップに於て、小外鍔部５を抱き込み状としてタブ部４を係止させるための折り線部１０を、タブ部４に形成したので、蓋３のタブ部４を、折り線部１０に沿って折り曲げるのみで局部的に剛性を向上させることができ、十分に大きい係止力をもって小外鍔部５を抱き込むことが可能である。よって、確実に食料品収納カップを閉塞できる。また、蓋３のタブ部４を指Ｙで押すのみで、小外鍔部５を抱き込むように折り曲げることができ、片手で簡単に蓋３を開口端縁部２に係止させることができ、食料品収納カップを容易かつ迅速に閉塞できる。
【００２６】
また、開口端縁部２の全周にわたって小外鍔部５を有する上方開口状のカップ本体１と、開封用のタブ部４を有すると共にカップ本体１の開口端縁部２の上面に貼着される薄片状の蓋３とを、備えた食料品収納カップに於て、小外鍔部５を抱き込み状としてタブ部４を係止させるための折り線部１０を、タブ部４に形成し、さらに、タブ部４の左右に連続する蓋３の外周端縁部３ａを、小外鍔部５を抱き込み可能な外径寸法Ｒに増加して連続突出片７，８を形成し、連続突出片７，８に円弧状に折り線部１０を延伸させたので、タブ部４を折り曲げて蓋３をカップ本体１に係止する効果に加えて、連続突出片７，８を小外鍔部５に抱き込み状として、蓋３をより確実にカップ本体１に係止することができる。よって、蓋３を開口端縁部２の半円周以上にわたって剥離した場合に於て、タブ部４及び連続突出片７，８が、広範囲に小外鍔部５を抱き込むため、より確実に食料品収納カップを閉塞できる。
【００２７】
また、タブ部４は、折り線部１０に沿って折り曲げることによりフランジ部５に引っ掛かり可能な係止部６を形成するので、平面形状のタブ部４を、凹凸を有する係止部６として形成し、局部的に剛性を向上して、十分に大きい係止力をもって確実に食料品収納カップを閉塞できる。
【００２８】
また、折り線部１０は、タブ部４を切断しないような深さ寸法ｆで凹溝１１を刻設して成るので、タブ部４に折り線部１０を設ける際に、加工が容易であり、蓋３の製作が安価に行える。
【００２９】
また、折り線部１０は、タブ部４に所定の間隔ｐをもって複数の貫通孔１２…を列設して成るので、タブ部４に折り線部１０を設ける際に、加工が容易であり、蓋３の製作が安価に行える。さらに、折り線部１０は、タブ部４の表て面又は裏面に形成されたものに関わらず、山折り・谷折りにして折り曲げ自在となる。
【００３０】
また、折り線部１０が存在する範囲を、略円形の蓋３の中心Ｏから見た中心角をαとすると、６０°≦α≦１８０°に設定されるので、タブ部４を折り曲げて容易に係止部６を殻形状として造形することができ、かつ、蓋３を、商品の形態として好ましい形状に成形できる。
【符号の説明】
【００３１】
１  カップ本体
２  開口端縁部
３  蓋
３ａ  外周端縁部
４  タブ部
５  小外鍔部
６  係止部
７  連続突出片
８  連続突出片
１０  折り線部
１１  凹溝
１２  貫通孔
ｆ  深さ寸法
ｐ  間隔
Ｏ  中心
α  中心角
【図１】
2011031970.tif 000003
【図２】
2011031970.tif 000004
【図３】
2011031970.tif 000005
【図４】
2011031970.tif 000006
【図５】
2011031970.tif 000007
【図６】
2011031970.tif 000008
【図７】
2011031970.tif 000009
【図８】
2011031970.tif 000010
【図９】
2011031970.tif 000011
【図１０】
2011031970.tif 000012
【図１１】
2011031970.tif 000013
【図１２】
2011031970.tif 000014
【図１３】
2011031970.tif 000015